(57)【要約】【課題】遮音部材を圧縮機に装着しやすくするとともに、音が漏れにくくすることにある。【解決手段】空調室外機の圧縮機５及びその周辺の構造６を含む被巻き付け空間を覆い、被巻き付け空間から外方に突出する冷媒配管５１が貫通可能なシート状の遮音部材１であって、表面２２と、裏面２１と、表面２２と裏面２１との間の側面２３とを備えている。側面２３は、被巻き付け空間を囲むように形成される第１側面２３１と、第１側面２３１に略直交する方向に形成された第２側面２３２とを有している。そして、第１側面２３１から少なくとも冷媒配管５１を貫通させる位置まで切り込み２３７が設けられ、第１側面２３１の切り込み２３７が設けられている近傍から第２側面２３２に向かって斜面２３６が形成されるように一部が切り取られている。【選択図】図１
2008031953.tif 000002
【特許請求の範囲】
【請求項１】
空調室外機の圧縮機（５）及びその周辺の構造（６）を含む被巻き付け空間を覆い、前記被巻き付け空間から外方に突出する冷媒配管（５１）が貫通可能なシート状の遮音部材（１）であって、
表面（２２）と、裏面（２１）と、前記表面（２２）と前記裏面（２１）との間の側面（２３）とを備え、
前記側面（２３）は、前記被巻き付け空間を囲むように形成される第１側面（２３１）と、前記第１側面（２３１）に略直交する方向に形成された第２側面（２３２）とを有し、
前記第１側面（２３１）から少なくとも前記冷媒配管（５１）を貫通させる位置まで切り込み（２３７）が設けられ、
前記第１側面（２３１）の前記切り込み（２３７）が設けられている近傍から前記第２側面（２３２）に向かって斜面（２３６）が形成されるように一部が切り取られている、
遮音部材（１）。
【請求項２】
前記側面（２３）は、前記第１側面（２３１）の前記第２側面（２３２）が設けられていない側端部から前記第２側面（２３２）と略平行になるように形成された第３側面（２３３）と、前記第２側面（２３２）から所定の距離まで前記第１側面（２３１）に略平行に設けられた第４側面（２３４）をさらに有し、
前記斜面（２３６）は、前記第４側面（２３４）の前記第３側面（２３３）側端部から前記第１側面（２３１）に向けて形成されている、
請求項１に記載の遮音部材（１）。
【請求項３】
前記被巻き付け空間を覆う際に、前記第２側面（２３２）の近傍部分と前記第３側面（２３３）の近傍部分とが重なり合い、前記斜面（２３６）の近傍部分は前記第３側面（２３３）の近傍部分と重なり合う、
請求項１又は２に記載の遮音部材（１）。
【請求項４】
前記冷媒配管（５１）は、前記第１側面（２３１）に略平行に配置された２本の管状部材であって、
前記切り込み（２３７）は、前記第１側面（２３１）から前記一方の管状部材が設けられた位置まで切り込まれた第１切り込み（２３７ａ）と、前記第１切り込み（２３７ａ）の前記一方の管状部材が設けられた位置から前記第１側面（２３１ａ）と略平行に、前記他方の管状部材が貫通可能なように所定の長さ切り込まれた第２切り込み（２３７ｂ）とを有する、
請求項１から３のいずれかに記載の遮音部材（１）。
【発明の詳細な説明】
【技術分野】
【０００１】
本発明は、遮音部材、特に、空調室外機の圧縮機及びその周辺の構造を含む被巻き付け空間を覆い、被巻き付け空間から外方に突出する冷媒配管が貫通可能なシート状の遮音部材に関する。
【背景技術】
【０００２】
空気調和器は、空調室外機と空調室内機とを備えており、空調室外機の圧縮機、室外熱交換器、減圧器、室内熱交換器を順次接続して冷凍サイクルを構成し、室外熱交換器を凝縮器、室内熱交換器を蒸発器として機能させることにより、室内を冷房する。また、室内熱交換器を凝縮器、室外熱交換器を蒸発器として機能させることにより、室内を暖房する。空調室外機の圧縮機は、冷媒を圧縮させて冷媒の圧力を上昇させる装置であって、流体を圧縮する圧縮部を有しており、冷媒が吸入される吸入管と、圧縮された冷媒が吐出される吐出管とが接続されている。
【０００３】
この圧縮機では、吸入管から冷媒が吸入されると、圧縮部で冷媒が圧縮され、吐出管から吐出される。このとき、圧縮部内から騒音が発生する。
【０００４】
この騒音を遮断するために圧縮機付近の空間の外周に遮音部材を取り付ける構成が考えられている（特許文献１参照）。
【特許文献１】実開平３−１１８４４５号公報
【発明の開示】
【発明が解決しようとする課題】
【０００５】
特許文献１に記載の圧縮機の遮音部材は、Ｕ字状の切り欠きが形成された長方形状のシート部材である。圧縮機の側面の設けられた吸入管等の管がＵ字状の切り欠きに位置するように圧縮機の外周に遮音部材が巻き付けられる。しかし、この遮音部材では、Ｕ字状切り欠きの管が配置されている部分以外の部分は切り欠かれているために、この切り欠き部分から音が漏れることが考えられる。切り欠き部分から音が漏れないようにするために、この切り欠き部分を別の部材で覆うことが考えられるが、その場合には部材数が多くなる。
【０００６】
また、特許文献１に記載の遮音部材では、Ｕ字状の切り欠きを圧縮機の管の上又は下に位置させ、Ｕ字状の切り欠きに管が位置するように移動させる必要がある。このために、遮音部材を圧縮機に巻き付けるようにして装着することはできず、圧縮機に遮音部材を装着させにくい。
【０００７】
本発明の課題は、遮音部材を圧縮機に装着しやすくするとともに、音が漏れにくくすることにある。
【課題を解決するための手段】
【０００８】
第１発明に係る遮音部材は、空調室外機の圧縮機及びその周辺の構造を含む被巻き付け空間を覆い、被巻き付け空間から外方に突出する冷媒配管が貫通可能なシート状の遮音部材であって、表面と、裏面と、表面と裏面との間の側面とを備えている。側面は、被巻き付け空間を囲むように形成される第１側面と、第１側面に略直交する方向に形成された第２側面とを有している。そして、第１側面から少なくとも冷媒配管を貫通させる位置まで切り込みが設けられ、第１側面の切り込みが設けられている近傍から第２側面に向かって斜面が形成されるように一部が切り取られている。
【０００９】
この遮音部材では、被巻き付け空間を覆うように巻き付けていき、斜面に冷媒配管が接触する前に、冷媒配管をよけるように切り込みと斜面との間の部分を弾性変形させることができる。この状態で、切り込みが設けられた位置に冷媒配管が位置するまでさらに巻き付けることができる。そして、冷媒配管が切り込みに位置した際に、斜面と切り込みとの間の部分が弾性変形した状態から元の状態へと弾性変形を解除する。弾性変形が解除されると、切り込みと斜面との間の部分によって圧縮機の冷媒配管の近傍が覆われる。なお、冷媒配管が斜面に接触する前に切り込みと斜面との間の部分を予め弾性変形させない場合であっても、被巻き付け空間を覆うように巻き付ける際に、斜面を冷媒配管に押し当てることによって斜面と切り込みとの間の部分が冷媒配管をよけるように弾性変形させることができる。
【００１０】
ここでは、被巻き付け空間に遮音部材を巻き付けることで装着できるために、冷媒配管を貫通させた状態で遮音部材を被巻き付け空間に容易に装着させることができる。また、切り込みに冷媒配管が位置させられた状態では、冷媒配管が位置する部分以外の部分は塞がれているために音が漏れにくくなっている。さらに、１つの部材で冷媒配管の近傍を覆うことができるために部材数を増やす必要がなくなる。
【００１１】
第２発明に係る遮音部材は、第１発明に記載の遮音部材であって、側面は、第１側面の第２側面が設けられていない側端部から第２側面と略平行になるように形成された第３側面と、第２側面から所定の距離まで第１側面に略平行に設けられた第４側面をさらに有し、斜面は、第４側面の第３側面側端部から第１側面に向けて形成されている。
【００１２】
この遮音部材では、冷媒配管が第４側面に沿うように、被巻き付け空間に巻き付けていく。斜面に冷媒配管が接触する前に、冷媒配管をよけるように切り込みと斜面との間の部分を弾性変形させる。そして、冷媒配管が切り込みに位置した際に、斜面と切り込みとの間の部分が弾性変形した状態から元の状態へと弾性変形を解除する。弾性変形が解除されると、切り込みと斜面との間の部分によって冷媒配管の近傍が覆われる。
【００１３】
ここでは、冷媒配管が第４側面に沿うように遮音部材を巻き付けることができるために、被巻き付け空間に遮音部材を巻き付けやすくなる。
【００１４】
第３発明に係る遮音部材は、第１発明または第２発明に記載の遮音部材であって、被巻き付け空間を覆う際に、第２側面の近傍部分と第３側面の近傍部分とが重なり合い、斜面の近傍部分は第３側面の近傍部分と重なり合う。
【００１５】
この遮音部材では、第２側面の近傍部分と第３側面の近傍部分とが重なり合うように巻き付けられる。このとき、斜面の近傍部分は第３側面の近傍部分と重なり合う。ここでは、斜面が形成されるように一部が切り取られた場合であっても、斜面の近傍部分が第３側面の近傍部分と重なり合うために圧縮機などから発生する音を遮断しやすくなる。
【００１６】
第４発明に係る遮音部材は、第１発明から第３発明のいずれかに記載の遮音部材であって、冷媒配管は、第１側面に略平行に配置された２本の管状部材であって、切り込みは、第１側面から一方の管状部材が設けられた位置まで切り込まれた第１切り込みと、第１切り込みの一方の管状部材が設けられた位置から第１側面と略平行に、他方の管状部材が貫通可能なように所定の長さ切り込まれた第２切り込みとを有する。
【００１７】
この遮音斜面では、被巻き付け空間を覆うように巻き付けていき、斜面に冷媒配管が接触する前に、冷媒配管をよけるように第１切り込みと斜面との間の部分を弾性変形させる。この状態で、第２切り込みが設けられた位置に２本の冷媒配管が位置するまでさらに巻き付ける。そして、２本の冷媒配管が第２切り込みに位置した際に、斜面と切り込みとの間の部分が弾性変形した状態から元の状態へと弾性変形を解除する。弾性変形が解除されると、第１切り込みと斜面との間の部分によって冷媒配管の近傍が覆われる。ここでは、冷媒配管が２本の場合であっても音を遮断しやすくなる。なお、ここで第２切り込みの長さは２本の管状部材の間隔に対応した長さであって、第２切り込みの両端部に冷媒配管がそれぞれ位置するようにする。
【発明の効果】
【００１８】
第１発明に係る遮音部材では、被巻き付け空間に遮音部材を巻き付けることで装着できるために、冷媒配管を貫通させた状態で遮音部材を被巻き付け空間に容易に装着させることができる。また、切り込みに冷媒配管が位置させられた状態では、冷媒配管が位置する部分以外の部分は塞がれているために音が漏れにくくなっている。さらに、１つの部材で冷媒配管の近傍を覆うことができるために部材数を増やす必要がなくなる。
【００１９】
第２発明に係る遮音部材では、冷媒配管が第４側面に沿うように遮音部材を巻き付けることができるために、被巻き付け空間に遮音部材を巻き付けやすくなる。
【００２０】
第３発明に係る遮音部材では、斜面が形成されるように一部が切り取られた場合であっても、斜面の近傍部分が第３側面の近傍部分と重なり合うために圧縮機などから発生する音を遮断しやすくなる。
【００２１】
第４発明に係る遮音部材では、冷媒配管が２本の場合であっても音を遮断しやすくなる。
【発明を実施するための最良の形態】
【００２２】
１．構成
図１に本発明の一実施形態に係る遮音部材１の全体図を示す。遮音部材１は、図２、図３に示すように、空調室外機の圧縮機５及びその周辺の構造６を含む被巻き付け空間を覆い、被巻き付け空間から外方に突出する冷媒配管５１が貫通可能な物であって、シート部２と、着脱部３とを備えている。
【００２３】
空調室外機の圧縮機５及びその周辺構造６には、例えば圧縮機の付属アキュムレータ６１や、圧縮機５や付属アキュムレータ６１に接続される管状部材などが含まれており、略円柱形状に固めて配置されている。空調室外機の圧縮機５には、側面に外方に向かって突出する管状の冷媒配管５１が２つ並び、空調室外機の圧縮機５及びその周辺構造６から外方に突出するように配置されている。この冷媒配管５１はそれぞれ、圧縮機５に冷媒を供給する管、圧縮機５から冷媒を排出する管である。
【００２４】
シート部２は、空調室外機の圧縮機５及びその周辺構造６を巻き付けて圧縮機５などから発生する騒音を遮断するための部材であり、図６に示すように、表面２２と、裏面２１と、表面２２と裏面２１との間の側面２３とを有している。また、シート部２は、弾性部材によって形成されている層２４と、不織布によって形成されている層２５とを有している。このために、シート部２は弾性変形可能である。シート部２は、略長方形状のシート状の部分であって、第１側面２３１と、第２側面２３２と、第３側面２３３と、第４側面２３４と、第５側面２３５と、斜面２３６と、切り込み２３７とを有している。
【００２５】
第１側面２３１は、空調室外機の圧縮機５及びその周辺構造６の外周を囲むように形成された側面であって、長手方向に延びて形成されている。
【００２６】
第２側面２３２は、第１側面２３１に略直交する方向に延びて形成される側面であって、ほぼ垂直に形成されている。
【００２７】
第３側面２３３は第１側面２３１の第２側面２３２が設けられていない側端部から第２側面２３２と略平行になるように形成された側面である。
【００２８】
第４側面２３４は第２側面２３２から所定の距離まで第１側面２３１に略平行に設けられている。
【００２９】
第５側面２３５は第１側面２３１と略平行に設けられた部分である。
【００３０】
斜面２３６は第４側面２３４の第３側面２３３側端部と第１側面２３１の第２側面２３２側端部との間に形成された部分である。なお、斜面２３６と第４側面２３４とはシート部２から一部分が切り取られることによって形成されている部分である。
【００３１】
切り込み２３７は、冷媒配管５１をシート部２に貫通させるために設けられた部分であって、第１切り込み２３７ａと、第２切り込み２３７ｂとを有している。第１切り込み２３７ａは、第２側面２３２と略平行に設けられた部分であって、第５側面２３５側端部に冷媒配管５１のうちの一方が位置する。第２切り込み２３７ｂは、第１切り込み２３７ａの第５側面２３５側端部から第２側面２３２側に所定の長さ形成されており、第１側面２３１と略平行になっている。また、第２切り込み２３７ｂの第２側面２３２側端部には冷媒配管５１の他方が配置される。なお、第２切り込み２３７ｂの長さは、２本の冷媒配管５１の間隔と同じ長さである。すなわち、第２切り込み２３７ｂの両端部に２本の冷媒配管５１がそれぞれ位置可能である。
【００３２】
着脱部３は、シート部２を空調室外機の圧縮機５及びその周辺構造６に巻き付けた状態で維持するために部分であって、第３側面２３３の近傍にステープル処理によって固定され、先端に面ファスナーの一方側が取り付けられた２本の帯状部３１と、第２側面２３２の近傍にステープル処理によって取り付けられた２つの面ファスナーの他方側３２とを有している。
【００３３】
２．動作
遮音部材１を空調室外機の圧縮機５及びその周辺構造６に巻き付ける際の動作について説明する。
【００３４】
図５に示すように、冷媒配管５１が第４側面２３４に沿うようにシート部２を空調室外機の圧縮機５及びその周辺構造６に巻き付けていき、図６に示すように、斜面２３６が冷媒配管５１の近傍に移動する前に予め冷媒配管５１をよけるように第１切り込み２３７ａと斜面２３６との間の部分を弾性変形させる。この状態で、シート部２を不織布の層２５が空調室外機の圧縮機５及びその周辺構造６に接触するように空調室外機の圧縮機５及びその周辺構造６に巻き付けていく。そして、２本の冷媒配管５１が第２切り込み２３７ｂの両端にそれぞれ位置する状態になると、第１切り込み２３７ａと斜面２３６との間の部分の弾性変形を解除する。第１切り込み２３７ａと斜面２３６との間の部分の弾性変形が解除されると、冷媒配管５１の上側すなわち、第２切り込み２３７ｂと第１側面２３１との間の部分をシート部２が覆う（図４及び図７参照）。その後、シート部２を完全に空調室外機の圧縮機５及びその周辺構造６の外周に巻き付ける。この状態で、第３側面２３３の近傍側の面ファスナー３２と第２側面２３２の近傍の面ファスナーとを合わせる。このようにして、遮音部材１を空調室外機の圧縮機５及びその周辺構造６に巻き付ける。なお、斜面２３６が冷媒配管５１の近傍に移動する前に予め第１切り込み２３７ａと斜面２３６との間の部分を弾性変形させない場合であっても、斜面２３６に冷媒配管５１を接触させ、冷媒配管５１によって斜面２３６と第１切り込み２３７ａとの間の部分を弾性変形させることができる。
【００３５】
ここでは、第４側面２３４に沿って冷媒配管５１が移動するように遮音部材１を巻き付けることができるために巻き付けやすくなる。また、斜面２３６が冷媒配管５１の近傍に移動する前に予め冷媒配管５１をよけるように第１切り込み２３７ａと斜面２３６との間の部分を弾性変形させない場合であっても、斜面２３６が形成されているために冷媒配管５１が斜面２３６に接触する際に、冷媒配管５１及び遮音部材１に作用する応力を軽減することができる。さらに、第２切り込み２３７ｂが形成されているために冷媒配管５１が遮音部材１を容易に貫通させることができ、第２切り込み２３７ｂと第１側面２３１との間を覆うことができるために圧縮機５などから発生する騒音を遮断しやすくなる。
【００３６】
３．他の実施形態
（ａ）上記実施形態では、第４側面２３４を形成したが、本発明はこれに限られずに、第４側面２３４を形成せずに第２側面と第１側面２３１との間に斜面２３６を形成するようにしても良い。
【００３７】
（ｂ）上記実施形態では、第２切り込み２３７ｂを形成したが、本発明はこれに限られずに、冷媒配管５１などの管状部材が１本の場合には、第２切り込み２３７ｂを設けなくとも良い。
【００３８】
（ｃ）上記実施形態では、第３側面の近傍と斜面の近傍とが重なり合わない場合について説明したが、本発明はこれに限られずに、シート部２が空調室外機の圧縮機５及びその周辺構造６に巻き付けられた状態では、図８に示すように、第３側面２３３がシート部２の裏面（弾性部材によって形成される層）に重なるように位置していてもよい。すなわち、第３側面２３３近傍と第２側面２３２近傍とはシート部２を空調室外機の圧縮機５及びその周辺構造６に巻き付けた際に互いに重なり合うようにしても良い。この場合には、斜面２３６の近傍が第３側面２３３の近傍に重なり合うために斜面と第４側面２３４近傍を一部切り取られている場合であっても、完全に空調室外機の圧縮機５及びその周辺構造６を覆うことができ、騒音をさらに遮断しやすくすることができる。
【図面の簡単な説明】
【００３９】
【図１】本発明の一実施形態に係る遮音部材の全体図。
【図２】遮音部材１を空調室外機の圧縮機及びその周辺構造に巻き付けた状態の側面図。
【図３】遮音部材１を空調室外機の圧縮機及びその周辺構造に巻き付けた状態を上側から見た図。
【図４】図３の一部を示す図。
【図５】遮音部材を巻き付ける際の図。
【図６】斜面と第１切り込みの間の部分を弾性変形させ、遮音部材を巻き付ける際の図。
【図７】２本の冷媒配管が第２切り込みに配置されている状態を示す図。
【図８】他の実施形態に係る遮音部材９１を巻き付けている状態を示す図。
【符号の説明】
【００４０】
１  遮音部材
５  空調室外機の圧縮機
６  その周辺構造
２１  表面
２２  裏面
２３  側面
５１  冷媒配管
２３１  第１側面
２３２  第２側面
２３３  第３側面
２３４  第４側面
２３６  斜面
２３７  切り込み
２３７ａ  第１切り込み
２３７ｂ  第２切り込み
【図１】
2008031953.tif 000003
【図２】
2008031953.tif 000004
【図３】
2008031953.tif 000005
【図４】
2008031953.tif 000006
【図５】
2008031953.tif 000007
【図６】
2008031953.tif 000008
【図７】
2008031953.tif 000009
【図８】
2008031953.tif 000010